(57)【要約】【課題】被写体からの反射光が受光素子に入射するため、撮影レンズの焦点距離に対応した閃光ユニットのズーム位置にかかわらず受光素子の受光量を一定にすることが難しい。【解決手段】受光素子１８は可動の閃光ユニット１５の反射傘１４の背後に配設されている。被写体からの反射光は、反射傘１４が壁となって受光センサ１８に直接入射せず、集光レンズ１６に照射されて反射され、反射傘を回り込んで入射した光のみを受光素子１８が受光している。【選択図】図１
2006162695.tif 000002
【特許請求の範囲】
【請求項１】
閃光発光管と、
上記閃光発光管からの閃光を被写体に配光するための光学素子と、
上記光学素子に対して相対的に移動可能で、凹面状に形成され、凹面の反射面で形成される空間内部に上記閃光発光管を支持し、上記閃光発光管からの発光を上記光学素子に照射するための反射傘と、
上記反射傘の反射面の反対側に配置されて、上記閃光発光管から上記光学素子に照射されて反射された光を受光する受光素子と、
を備えたことを特徴とするストロボ装置。
【請求項２】
閃光発光管と、
凹面状に形成され、凹面の反射面で形成される空間内部に上記閃光発光管を支持し、上記閃光発光管からの閃光を被写体側に照射するための反射傘と、
上記反射傘の反射面と対向するように配置され、上記閃光発光管からの光が透過して被写体に配光を行なう光学素子と、
上記反射傘にその受光面を臨ませて上記反射傘の反射面の反対側に配置され、上記閃光発光管から上記光学素子に照射されて反射された光を受光する受光素子と、
上記反射傘を上記光学素子に対して相対的に移動させる移動手段と、
を備えたことを特徴とするズームストロボ装置。
【請求項３】
凹面状の反射傘の凹部空間内部に閃光発光管を配設してなる閃光ユニットを、反射傘の反射面に対向して位置する集光レンズに対して相対的に移動可能に枠体内に配置し、撮影レンズの焦点距離に対応して閃光ユニットが移動して照射角度を変更し、連続して閃光する閃光発光管の光の一部を受光素子で受光して閃光発光管の発光を制御するストロボ装置において、
前記受光素子が反射傘の背後に配置され、上記閃光発光管から上記集光レンズに照射されて反射された光を受光することを特徴とするストロボ装置。
【請求項４】
上記受光素子が、被写体からの反射光に対して上記反射傘の影となる範囲に配置されている請求項３記載のストロボ装置。
【請求項５】
上記受光素子が、上記反射傘の背後のほぼ中央に配置されている請求項１ないし４記載のストロボ装置。
【発明の詳細な説明】
【技術分野】
【０００１】
本発明は、閃光放電管からの光の一部を受光センサで受光し、受光センサの受光量に応じて閃光放電管の発光(閃光)を制御するストロボ装置、特に撮影レンズの焦点距離に対応して照射角度を可変設定できるストロボ装置に関する。
【背景技術】
【０００２】
ストロボ装置は、凹面状の反射傘の要部分にキセノンランプなど閃光発光管を配設してなる閃光ユニットを枠体の内部に配置し、反射傘の反射面に対向して枠体の前面開口部にフレネルレンズのような集光レンズ(光学素子)を取付けて構成されている。そして、撮影レンズの焦点距離に対応して閃光ユニットが移動して照射角度を変更したり、シャッタの先幕と後幕とでスリットを形成してスリットが結像面上を走行する間、閃光発光管が連続発光するストロボ装置が知られている。
【０００３】
閃光ユニットのズーム位置、つまり、ズーム照射角度にかかわらず、閃光発光管からの一定の発光量、すなわち基準となる発光量に対して受光素子の受光量（入射光）が一定であれば、絞り値、被写体距離が既知であるため、ガイドナンバ（＝絞り値×被写体距離）に対応した適正な露出が得られる。そのため、連続発光する閃光放電管からの光の一部をフォトセンサのような受光素子で受光し、受光量を基準値と比較して連続発光を、つまり、それぞれの発光ごとにその発光を止めて閃光放電管の制御がなされている。
【０００４】
たとえば、特開平５−１２７２２６号公報のストロボ装置では、可動の閃光ユニットの側方で枠体の外壁に受光素子を配置し、枠体を外部モールドで覆い、集光レンズの外面（前面）にアクリル板を設け、集光レンズの内面（背面）に遮光テープを貼るとともに、集光レンズの内面にテ−パ部を形成している。
この構成では、閃光ユニットの側方で枠体の外壁に配置されているため、枠体に遮られて受光素子は閃光発光管からの光を直接受光しない。そして、閃光発光管からの光の一部は集光レンズのテーパ部で反射して受光素子で受光されるとともに、集光レンズを透過してアクリル板で反射した光も受光素子で受光される。ここで、テーパ部での反射光はテーパ部の形状に、アクリル板での反射光は遮光テープの形状にそれぞれ影響するため、閃光ユニットのズーム位置に応じて、テーパ部、遮光テープの形状を調整すれば、受光素子の受光量がほぼ一定に制御できる。
【特許文献１】特開平５−１２７２２６号公報
【発明の開示】
【発明が解決しようとする課題】
【０００５】
被写体からの反射光を受光センサが受光すれば、閃光ユニットのズーム位置に応じて受光センサの受光量が変動するから、受光センサの受光量を一定に維持することが難しい。そして、撮影レンズの焦点距離に対応した閃光ユニットのズーム位置にかかわらず基準発光量に対して受光素子の受光量を一定にして適切な露出制御を行なうためには、閃光ユニットのズーム位置に応じてセンサ感度を切換えたり、光量判定レベルを調整する必要があり、ストロボ装置の制御回路が複雑になる。
【０００６】
たとえば、上記特開平５-１２７２２６号公報では、集光レンズ内面のテーパ部および遮光テープのそれぞれの形状を調整して受光素子の受光量を制御している。しかしこの構成では、受光素子は集光レンズに対向して配置されているため、被写体の反射光が集光レンズを介して受光素子に直接入射することを阻止できず、被写体の反射光の影響を無視できない。そのため、閃光ユニットのズーム位置にかかわらず、適切な露出制御を行なうためには、閃光ユニットのズーム位置に応じてテーパ部および遮光テープのそれぞれの形状を正確に調整する必要があり、構成的に複雑化しやすい。
【０００７】
本発明は、閃光ユニットのズーム位置にかかわらず閃光発光管からの一定発光量に対して受光素子の受光量をほぼ一定とする簡単な構成のストロボ装置の提供を目的としている。
【課題を解決するための手段】
【０００８】
本発明は、反射傘の反射面の反対側に受光素子を配置したことを特徴としている。
【発明の効果】
【０００９】
請求項１に係る本発明によれば、受光素子が反射傘の反射面の反対側に配置されているため、被写体からの反射光は反射傘が壁となって受光素子に直接入射せず、受光素子は光学素子に照射されて反射された光を受光するため、閃光ユニットのズーム位置にかかわらず閃光発光管からの一定発光量に対して受光素子の受光量がほぼ一定となる。
【００１０】
請求項２に係る本発明によれば、受光素子が反射傘の反射面の反対側に配置されているため、被写体からの反射光は反射傘が壁となって受光素子に直接入射せず、受光素子は光学素子に照射されて反射した光を受光するため、閃光ユニットのズーム位置にかかわらず閃光発光管からの一定発光量に対して受光素子の受光量がほぼ一定となる。
【００１１】
請求項３に係る本発明によれば、受光素子が反射傘の背後に配置されているため、被写体からの反射光は反射傘が壁となって受光素子に直接入射せず、受光素子は光学素子に照射されて反射した光を受光するため、閃光ユニットのズーム位置にかかわらず閃光発光管からの一定発光量に対して受光素子の受光量がほぼ一定となる。
【００１２】
請求項４に係る本発明によれば、受光素子が被写体からの反射光に対して反射傘の影となる範囲に配置されているため、被写体からの反射光の入射が確実にカットされて、被写体からの反射光の影響が無視できる。
【００１３】
請求項５に係る本発明によれば、受光素子が反射傘の背後の略中央に配置されているため、反射傘を回り込んで入射する光を上下方向および左右方向で均等に受光できる。
【発明を実施するための最良の形態】
【００１４】
本発明では、反射傘の反射面の反対側に受光素子を配置し、受光素子に対する被写体からの反射光の影響をカットすることにより、閃光発光管からの一定発光量に対して受光素子の受光量の一定化を実現している。
【実施例】
【００１５】
以下、図面を参照して本発明の実施例について説明する。図１は本発明の実施例に係るストロボ装置１０の概略縦断面図であり、図１（Ａ）はズームワイド、図１（Ｂ）はズームテレでのストロボ装置を示し、（Ｃ）は集光レンズ、ワイドパネルを除去したストロボ装置の正面図を示す。
【００１６】
図１（Ａ）（Ｂ）に示すように、ストロボ装置１０は、キセノンランプのような閃光発光管１２と、空間内部に閃光発光管を支持する凹面状の反射傘１４と、閃光発光管からの発光を被写体に配光するフレネルレンズのような集光レンズ（光学素子）１６と、閃光発光管からの光を受光するフォトセンサのような受光素子１８と、閃光発光管、反射傘、集光レンズ、受光素子を収納する枠体２０とを備えて構成されている。なお、閃光発光管１２は凹面状の反射傘１４の凹部空間内部に配設され、閃光発光管、反射傘は一体化されて閃光ユニット１５を構成し、閃光ユニットは撮影レンズの焦点距離に対応してその照射角度を変更するように集光レンズ１４に対して移動可能に枠体内に位置している。閃光ユニットの駆動手段については後述する。また、ワイドパネル２２が枠体２０の上面に回動可能に配置されている。
【００１７】
受光素子１８は、反射傘１４に対して集光レンズと反対側に、つまり、反射傘の凹面である反射面１４ａの反対側で枠体２０の取付け孔２０ａに取付けられている。
【００１８】
このように、受光センサ１８を反射傘１４の背後に配置すれば、被写体からの反射光は反射傘１４が壁となって受光センサに直接入射せず、被写体の反射光の影響が無視できる。そして、集光レンズ１６に照射されて反射され、反射傘を回り込んで入射した光のみを受光素子１８は受光する。そのため、撮影レンズの焦点距離に対応して閃光ユニット１５が図１（Ａ）のワイドズーム、図１（Ｂ）のワイドテレの間のいずれに位置しても、閃光発光管１２からの一定発光量に対して受光素子１８はほぼ一定の光を受光する。また、被写体からの反射光が受光センサ１８に直接入射し難いため、図１（Ｂ）に示すように、ワイドパネル２２が回動されて集光レンズ１６の前に配置された場合でも、閃光発光管１２からの一定発光量に対して受光素子１８はほぼ一定の光を受光し、ワイドパネルの有無は受光素子の受光と無関係になる。
【００１９】
このように、ワイドパネル２２の有無や閃光ユニットのズーム位置にかかわらず閃光発光管１２からの一定発光量に対して受光素子の受光量がほぼ一定になるため、閃光ユニット１５のズーム位置に応じてセンサ感度を切換えたり、光量判定レベルを調整することなく、適切な露出でストロボ撮影が行える。そして、センサ感度の切換えや光量判定レベルの調整が不要であるため、ストロボ装置の制御回路が複雑化することもない。
また、受光センサ１８を反射傘１４の背後に配置するというきわめて簡単な構成で、閃光ユニットのズーム位置にかかわらず閃光発光管１２からの一定発光量に対して受光素子１８の受光量が一定化する。そのため、受光量の一定化のための調整は一切不要であり、ストロボ装置１０の構成を複雑化する要素は全く存在しない。
【００２０】
図１に示すように、被写体からの反射光に対して反射傘１４の影となる範囲２４に受光素子１８を配置すれば、被写体からの反射光の直接入射が確実にカットされ、被写体からの反射光の影響を無視できる。
【００２１】
また、受光素子１８を反射傘１４の上下方向および左右方向の中央線Ｏのほぼ上、つまり、図１（Ｃ）に示すように、背後のほぼ中央に配置すれば、反射傘を回り込んだ光が上下方向および左右方向でほぼ均一に受光素子に入射し、受光素子の受光が安定する。
【００２２】
閃光ユニットのズーム位置による受光素子の受光量の変化を図２に示す。受光センサ１８を反射傘１４の背後に配置した実施例の構成では、ズーム位置が２８ｍｍ、３５ｍｍ、５０ｍｍ、７０ｍｍという２８〜７０ｍｍの広い範囲で閃光発光管１２からの一定発光量に対して受光素子１８の受光量は一定値（６０ｍＶ）となり、２０ｍｍで最大値７０ｍＶ、２４ｍｍで最小値５５ｍＶとなり、その変動率（変動幅：最大値／最小値）は１．２７にすぎない。
これに対して、可動の閃光ユニット１１５の側方で枠体１２０の外壁に受光素子１１８を配置し、枠体を外部モールド１３０で覆った図４に示す従来の構成では、ズーム位置が２８ｍｍ、３５ｍｍで閃光発光管１１２からの一定発光量に対して受光素子１１８の受光量が一定値（５０ｍＶ）となるとはいえ、一定値となる範囲は狭く、５０ｍｍで最大値１１５ｍＶ、２４ｍｍで最小値４０ｍＶとなり、変動率は２．８７もあり、実施例の２倍を超えている。なお、図４の従来の構成は、外部モールドを除いて、図１の実施例の対応する部材に１００を加えて図示している。
【００２３】
このように、受光素子を枠体１２０の外壁に配置した従来の構成では、受光量が一定となる範囲が狭く、その変動幅も大きい。そのため、ズームの全領域で閃光発光管１１２からの一定発光量に対して受光素子の受光量をほぼ一定とするためには、閃光ユニットのズーム位置に応じてセンサ感度を切換えたり、光量判定レベルを調整したり、（特開平５-１２７２２６号公報記載のように）集光レンズ背面のテーパ部、遮光テープの形状を調整しなければならない。
しかし、受光センサ１８を反射傘１４の背後に配置した実施例の構成では、広範囲のズーム位置で閃光発光管１２からの一定発光量に対して受光素子の受光量がほぼ一定になるから、閃光発光管の発光制御も容易であり、従来例に対して顕著な効果が得られる。
つまり、たとえ閃光発光管１２を発光させるためのメインコンデンサ電圧が変動したり、周囲の温度が変化して閃光発光管からの発光量が変動しても、受光素子１８がその発光をモニタ−して必要発光量が発光されるまで閃光発光管が発光し続け、受光素子の出力からその受光量が十分なものであると判断したとき、閃光発光管の発光を停止すればよいから閃光発光管の発光が容易に制御できる。
【００２４】
次に、実施例の閃光ユニット１５の駆動手段３０について述べると、図３に示すように、駆動手段３０は、枠体２０に取付けられたモータ３２と、モータ出力軸のピニオンギヤ３２ａに噛合されたスクリューシャフト３４とを備えて構成されている。そして、スクリューシャフト３４の両端は、非ねじ部とされて枠体２０の軸受部２０ａ，２０ｂに回転自在に支持され、中央のねじ部は反射傘１４のナット部材１４ｂに噛合されている。
スクリューシャフト３４、ナット部材１４ｂが噛合しているため、モータ３２が駆動してスクリューシャフト３４が回転すると、閃光ユニット１５は撮影レンズの焦点距離に対応したズーム位置に移動する。そして、所定の照射角度で閃光発光管１２を閃光させて適切な露出でストロボ撮影がなされる。
【００２５】
上述した実施例は本発明を説明するためのものであり、本発明は実施例に限定されるものではなく、本発明の要旨を逸脱しない範囲内において、変形や応用が可能であることはいうまでもない。
【産業上の利用可能性】
【００２６】
本発明によれば、被写体からの反射光の入射をカットし閃光発光器からの光のみを受光素子が受光して、適切な露出で容易に撮影でき、発光を制御して行なう光学系の分野に本発明が広範囲に応用できる。
【図面の簡単な説明】
【００２７】
【図１】本発明の実施例１に係るストロボ装置の概略縦断面図を示し、（Ａ）はズームワイド、（Ｂ）はズームテレでのストロボ装置をそれぞれ示し、（Ｃ）は集光レンズ、ワイドパネルを除去した正面図を示す。
【図２】閃光ユニットのズーム位置による受光素子の受光量の変化を示す。
【図３】閃光ユニットの駆動手段を加えたストロボ装置の破断断面図を示す。
【図４】従来のストロボ装置の概略縦断面図を示し、（Ａ）はズームワイド、（Ｂ）はズームテレでのストロボ装置をそれぞれ示す。
【符号の説明】
【００２８】
１０，１００      ストロボ装置
１２，１１２      閃光発光管
１４，１１４      反射傘
１５，１１５      閃光ユニット
１６，１１６      集光レンズ（光学素子）
１８，１１８      受光素子
２０，１２０      枠体
３０        駆動手段
３２        モータ
３４        スクリューシャフト
【図１】
2006162695.tif 000003
【図２】
2006162695.tif 000004
【図３】
2006162695.tif 000005
【図４】
2006162695.tif 000006